(57)【要約】【課題】  紙の揃えを良好として積載不良を防止する。【解決手段】  吸引車が軸着されている回転軸８にカム部材３０が軸着されている。第２のフレーム３５は第１のフレーム３３とともに、ボルト３４によって固定軸８に割締め固定されている。揺動部材３７は、第２のフレーム３５の傾斜部３５ａに植設したピン４２を中心として揺動自在に支持されている。揺動部材３７の一方の揺動部３７ｂにはベアリング３８が回転自在に支持されており、他方の揺動部３７ｃには紙揃え板４１が取り付けられている。傾斜部３５ａと揺動部材３７との間に懸架された引張りコイルばね４４によってベアリング３８がカム部材３０の周面に押圧されている。回転軸８が回転すると、カム部材３０とベアリング３８とのカム作用により、揺動部材３７がピン４２を中心として揺動し紙揃え板４１が揺動して紙の後端を揃える。【選択図】  図４
2005200157.tif 000002
【特許請求の範囲】
【請求項１】
シート状物を積層するシート積載手段と、
このシート積層手段のシート搬送方向上流側に設けられ、搬送されるシート状物の速度を減速させる吸引手段と、
前記シート積載手段のシート搬送方向下流側に設けられ、前記シート積載手段に積載されるシート状物の前端を揃える第１のシート揃え手段とを備えたシート状物積載装置において、
前記第１のシート揃え手段よりもシート搬送方向上流側に設けられ、シート状物搬送方向への往復動により前記シート積載手段に積載されるシート状物の後端側を揃える第２のシート揃え手段を備えたことを特徴とするシート状物積載装置。
【請求項２】
請求項１記載のシート状物積載装置において、
前記吸引手段は、
支持部材に回転自在に支持された回転軸と、吸引エア源に接続され前記回転軸に支持された吸引車とから構成され、
前記第２のシート揃え手段は、
前記回転軸を回転させる駆動手段により前記吸引車を回転させるとともに、シート揃え板を揺動させることを特徴とするシート状物積載装置。
【請求項３】
請求項２記載のシート状物積載装置において、
前記シート揃え板は、
前記回転軸に設けられたカムのカム作用によって揺動することを特徴とするシート状物積載装置。
【請求項４】
請求項３記載のシート状物積載装置において、
前記支持部材に揺動自在に支持され、一端部に前記カムに対接するコロが設けられ、他端部に前記シート揃え板が設けられた揺動レバーと、
この揺動レバーと前記支持部材との間に設けられ前記コロを前記カムに押圧する付勢手段とを備えたことを特徴とするシート状物積載装置。
【発明の詳細な説明】
【技術分野】
【０００１】
本発明は、例えば枚葉輪転印刷機の排紙装置において、排紙チェーンの排紙爪にくわえられて搬送された紙を紙積台上に落下させることにより、シートを積載するためのシート状物積載装置に関するものである。
【背景技術】
【０００２】
この種のシート状物積載装置としてもっとも典型的なものとして枚葉輪転印刷機における排紙装置がある。従来の排紙装置は、排紙チェーンの排紙爪によるくわえから解放され落下した紙を積載する板取り板と、紙搬送方向下流側に起伏自在に設けられ紙の前端を揃える前当てと、紙搬送方向上流側に設けられ紙の後端を揃える紙当てと、紙搬送方向上流側に設けられ紙の搬送を減速させる吸引車と、吸引車によって減速された紙を板取り板に案内する紙ガイド板とを備えたものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】実用新案登録第２５２０１５５号公報（段落「００１４」および「００１７」、図２および図６）
【発明の開示】
【発明が解決しようとする課題】
【０００３】
上述した従来のシート状物積載装置においては、排紙爪によるくわえから解放され落下した紙の後端が紙ガイド板によって案内されるときに、紙の後端と紙ガイド板との間の摩擦力によって、紙の後端が紙ガイド板に添接したままの状態となって紙の後端が板取り板上に落下しないことがある。また、排紙爪によるくわえから解放され落下する紙が前当てに当接した際に、前当てからの反力によって紙がわずかに紙搬送方向上流側に戻され、紙の後端が板取り板上に落下しないこともある。この場合には、紙当てによって紙の後端を揃えることができなくなり、特に、比較的厚みが薄く剛性が小さい紙の場合には、紙の後端と紙ガイド板との間の摩擦力によって紙が撓みやすくなり、積載不良が発生しやすいという問題があった。
【０００４】
本発明は上記した従来の問題に鑑みなされたものであり、その目的とするところは、紙の揃えを良好として積載不良を防止することにある。
【課題を解決するための手段】
【０００５】
この目的を達成するために、請求項１に係る発明は、シート状物を積層するシート積載手段と、このシート積層手段のシート搬送方向上流側に設けられ、搬送されるシート状物の速度を減速させる吸引手段と、前記シート積載手段のシート搬送方向下流側に設けられ、前記シート積載手段に積載されるシート状物の前端を揃える第１のシート揃え手段とを備えたシート状物積載装置において、前記第１のシート揃え手段よりもシート搬送方向上流側に設けられ、シート状物搬送方向への往復動により前記シート積載手段に積載されるシート状物の後端側を揃える第２のシート揃え手段を備えたものである。
【０００６】
請求項２に係る発明は、請求項１に係る発明において、前記吸引手段は、支持部材に回転自在に支持された回転軸と、吸引エア源に接続され前記回転軸に支持された吸引車とから構成され、前記第２のシート揃え手段は、前記回転軸を回転させる駆動手段により前記吸引車を回転させるとともに、シート揃え板を揺動させるものである。
【０００７】
請求項３に係る発明は、請求項２に係る発明において、前記シート揃え板は、前記回転軸に設けられたカムのカム作用によって揺動するものである。
【０００８】
請求項４に係る発明は、請求項３に係る発明において、前記支持部材に揺動自在に支持され、一端部に前記カムに対接するコロが設けられ、他端部に前記シート揃え板が設けられた揺動レバーと、この揺動レバーと前記支持部材との間に設けられ前記コロを前記カムに押圧する付勢手段とを備えたものである。
【発明の効果】
【０００９】
請求項１に係る発明によれば、紙揃えを確実に行うことができるため積載不良を防止することができる。
請求項２または３に係る発明によれば、吸引車が支持された回転軸を回転させることにより紙揃え板が揺動するため、紙揃え板を揺動させるための専用の駆動手段が不要になり部品点数を削減できるとともに構造が簡素化される。
請求項４に係る発明によれば、支持部材にコロ、紙揃え板、揺動レバー、付勢手段を取り付けることができるため、支持部材を装置に着脱することによりこれら構成部材の着脱が容易になる。
【発明を実施するための最良の形態】
【００１０】
以下、本発明の実施の形態を図に基づいて説明する。図１は本発明に係るシート状物積載装置の全体の構成を示す側面図、図２は同じく要部の左半分を示し、同図（Ａ）は平面図、同図（Ｂ）は正面図、図３は同じく要部の右半分を示し、同図（Ａ）は平面図、同図（Ｂ）は正面図、図４は図２（Ａ）におけるIV-IV 線断面図、図５は図４におけるV 矢視図である。
【００１１】
図１に符号１で示す枚葉輪転印刷機の排紙装置には、互いに対向する左右の排紙フレーム２Ａ，２Ｂが備えられており、これら排紙フレーム２Ａ，２Ｂの水平部材の先端部には、スプロケット３が回転自在に枢着されている。このスプロケット３と図示しない印刷ユニット側のスプロケットとの間には、左右一対の排紙チェーン４，４が張架がされており、これら左右の排紙チェーン４，４間には、爪と爪台とからなる排紙爪５が複数個並設されている。排紙爪５にくわえられた紙６は、矢印Ａ方向に走行する排紙チェーン４によって搬送され、スプロケット３の手前で排紙爪５のくわえから解放されて落下する。
【００１２】
７は紙６の走行経路に周面上端を臨ませるようにして回転軸８上に並設された複数の吸引車であって、この吸引車７に添接して走行するシート状物としての紙６を吸引することにより走行が制動され紙６を緊張させる。９は紙積板１１が載置された紙積台であって、４隅を吊り下げる昇降チェーン１０によって紙６の積載によって自動的に降下するように構成されている。１２は排紙爪５によるくわえから解放されて落下する紙６の前端を当接させて揃える第１のシート揃え手段としての前当て、１３は積載紙６の後端を当接させて揃える紙当てであって、後述する固定部材２５に固定されている。
【００１３】
図２および図３において、１５Ａ，１５Ｂは左右の排紙フレーム２Ａ，２Ｂに平行となるように回転自在でかつ軸線（矢印Ａ−Ｂ）方向への移動が規制されたねじ棒であって、これらねじ棒１５Ａ，１５Ｂには、直方体状に形成された左右一対の移動子１６Ａ，１６Ｂが螺合している。これら移動子１６Ａ，１６Ｂには左右の支持部材１７Ａ，１７Ｂが取り付けられており、これら支持部材１７Ａ，１７Ｂ間には固定軸１８が横架されている。したがって、移動子１６Ａ，１６Ｂはねじ棒１５Ａ，１５Ｂに回転が規制された状態で螺合しており、ねじ棒１５Ａ，１５Ｂを正・逆方向へ回転させると、移動子１６Ａ，１６Ｂが矢印Ａ−Ｂ方向へ移動し、吸引車７および紙当て１３を紙の天地方向へ移動調節可能になっている。
【００１４】
左側の移動子１６Ａには、図２に示すように、左側の排紙フレーム２Ａの外側に延設されたブラケット１９が取り付けられており、このブラケット１９の排紙フレーム２Ａの外側に立設された垂直部１９ａには回転軸８を回転自在に支持するベアリング２０が設けられている。回転軸８は、左右の支持部材１７Ａ，１７Ｂに設けたベアリング２１Ａ，２１Ｂにも回転自在に支持されており、左側のフレーム２ａから突出した突出端部に従動スプロケット２２が軸着されている。この従動スプロケット２２と駆動スプロケットとの間には、チェーン（いずれも図示せず）が張架されており、本機の駆動にしたがって駆動スプロケットが回転することにより、従動スプロケット２２がチェーンを介して回転し、回転軸８も回転するように構成されている。
【００１５】
２３は回転軸８に軸着され星形に形成されたスターホイールであって、両面印刷時に紙の裏面側の印刷面が吸引車７へ添接されるのを規制する。２４は左右の支持部材１７Ａ，１７Ｂに支持されたエア管であって、図示を省略した吸引ポンプに接続されており、エアチューブを介して固定部材２５の中空部に吸引エアを供給している。固定部材２５は吸引車７に添接するように固定軸１８に取り付けられており、この固定部材２５に供給された吸引エアが回転する吸引車７内に供給されることにより、吸引車７の周面に設けた複数の吸引孔に紙が吸引される。
【００１６】
次に、図４および図５を用いて、本発明の特徴である第２のシート揃え手段としての紙揃え手段２９について説明する。
【００１７】
これらの図において、３０は略半円弧状に形成された一対のカム３１，３１からなるカム部材であって、各カム３１，３１には円筒状の割締部３１ａ，３１ａが一体形成されており、割締部３１ａ，３１ａを回転軸８にボルト３２によって割締め固定することにより、周面に大径部と小径部とを有するカム部材３０が回転軸８に軸着される。３３は支持部材であって，両端部が回転軸８と固定軸１８とに掛け渡されるようにして、一端部がホルダー３５とともに、ボルト３４によって固定軸１８に割締め固定されている。
【００１８】
ホルダー３５は略逆くの字状に形成されており、中央部から図４中右端側に向かって斜め下方に傾斜した傾斜部３５ａが一体に設けられている。３７は基部３７ａと互いに対向する揺動部３７ｂ，３７ｃとによってコ字状に形成された揺動部材であって、一方の揺動部３７ｂの先端部には、コロとして機能するベアリング３８の内輪が取り付けられており、基部３７ａの中央部にはストッパ４０が植設され、他方の揺動部３７ｃにはシート揃え板としての紙揃え板４１が取り付けられている。
【００１９】
この揺動部材３７は、他方の揺動部３７ｃの基端部において、ホルダー３５の傾斜部３５ａの先端部に植設したピン４２によって揺動自在に支持されている。また、揺動部材３７は、ホルダー３５の傾斜部３５ａの略中央部に植設したばね掛け止め部材３６と、揺動部材３７の一方の揺動部３７Ｂの基端部に植設したばね掛け止め部材４３との間に懸架された引張りコイルばね４４の引張力によってピン４２を揺動中心として図４中時計方向に付勢されており、ベアリング３８の外輪がカム３０の周面に押圧されている。この状態で、紙揃え板４１は、図１に示すように、側面視において吸引車７に隣接し、かつ紙当て１３の上方に位置付けられている。
【００２０】
このような構成において、排紙爪５にくわえられた紙６は、図１に示すように、矢印Ａ方向に走行する排紙チェーン４によって搬送され、スプロケット３の手前で排紙爪５によるくわえから解放されて紙積板１１上に落下し、落下するときに吸引車７によって吸引されることにより減速され前端を前当て１２に当接して前端が揃えられる。このとき、図４に示すように、回転軸８と一体的に回転するカム部材３１の周面にベアリング３８が押圧されていることにより、揺動部材３７がピン４２を揺動中心として、図中時計・反時計方向へ揺動するため、揺動部材３７の他方の揺動部３７ｃに取り付けられた紙揃え板４１が図中実線と二点鎖線で示すように、落下する紙の天地方向に揺動する。したがって、落下する紙の後端がこの紙揃え板４１に添接することなく、また、仮に紙の前端が前当て１２に当接した際に紙搬送方向上流側にわずかに戻されたとしても、紙が紙積板１１上に確実に落下するため、紙の後端が揃えられた状態で紙当て１３と前当て１２とに当接するから積載不良を防止することができる。
【００２１】
ここで、ベアリング３８、紙揃え板４１および引張りコイルばね４４等の保守や部品交換を行うには、ボルト３４による固定を解除し、ホルダー３５を固定軸１８から取り外すことにより、揺動部材３７とともにこれらの部品をユニットとして一体的に取り外すことができる。このため、これらの部品の保守や部品交換が容易になるとともに、これらの部品の固定軸１８への着脱作業も容易になる。また、取り外したときに、引張りコイルばね４４の引張力によって、揺動部材３７がピン４２を揺動中心として時計方向へ回動するが、ストッパ４０がホルダー３５の傾斜部３５ａに当接するため、揺動部材３７が必要以上に回動することがないから取り扱いも容易である。また、引張りコイルばね４４の引張力によって、ベアリング３８をカム３０の周面に押圧しているため、ベアリング３８とカム３０との間の急激な押圧力の変化が緩衝されるから耐久性が向上する。また、吸引車７が支持された回転軸８を回転させることにより紙揃え板４１が揺動するため、紙揃え板４１を揺動させるための専用の駆動手段が不要になるから、部品点数を削減することができるとともに構造も簡素化される。
【００２２】
なお、本実施の形態においては、紙揃え板４１をピン４２を中心として揺動させたが、紙の後端において紙搬送方向に往復動するようにしてもよい。また、この紙揃え板４１の揺動または往復動を、回転軸８の回転に連動させることなく、専用の駆動手段によって行うようにしてもよい。また、カム作用によって紙揃え板４１を揺動させたが、リンク機構によって揺動させるようにしてもよい。また、前当て１２を揺動させるようにしてもよい。また、シート状物として紙の例を説明したが、塩化ビニールシートやフィルム等にも適用できる。
【図面の簡単な説明】
【００２３】
【図１】本発明に係るシート状物積載装置の全体の構成を示す側面図である。
【図２】本発明に係るシート状物積載装置の要部の左半分を示し、同図（Ａ）は平面図、同図（Ｂ）は正面図である。
【図３】本発明に係るシート状物積載装置の要部の右半分を示し、同図（Ａ）は平面図、同図（Ｂ）は正面図である。
【図４】図２（Ａ）におけるIV-IV 線断面図である。
【図５】図４におけるV 矢視図である。
【符号の説明】
【００２４】
１…枚葉輪転印刷機の排紙装置、５…排紙爪、６…紙、７…吸引車、８…回転軸、１２…前当て、１３…紙当て、１８…固定軸、２９…紙揃え手段、３０…カム部材、３５…ホルダー、３７…揺動部材、３８…ベアリング、４１…紙揃え板、４４…引張りコイルばね。
【図１】
2005200157.tif 000003
【図２】
2005200157.tif 000004
【図３】
2005200157.tif 000005
【図４】
2005200157.tif 000006
【図５】
2005200157.tif 000007